(57)【要約】  本発明は無線通信に関するものである。特に、無線高速パケットデータ通信に関するものである。詳しくは、ソフトハンドオーバーあるいは下記送信電力制御パラメータの調整に関与する１つ又はそれ以上の無線リンクに対して、ソフトハンドオーバーに関連しない１つ又はそれ以上の無線リンクの１つ又はそれ以上の送信電力制御パラメータの調節を含む高速パケットデータ通信の送信電力制御に関するものである。
2008527794.tif 000002
【特許請求の範囲】
【請求項１】
無線アップリンク送信制御の方法であって、
ソフトハンドオーバーに関与しない１つ又はそれ以上の無線リンクにおける１つ又はそれ以上の送信パラメータが、ソフトハンドオーバー又は前記送信パラメータの調整に関与する１つ又はそれ以上の無線リンクに関連して調整されることを特徴とする方法。
【請求項２】
１つ又はそれ以上の送信パラメータの調整に従った、ソフトハンドオーバーに関与しない１つ又はそれ以上の無線リンクが、高速アップリンクパケットデータ通信を行うことを特徴とする請求項１に記載の方法。
【請求項３】
ソフトハンドオーバーに関与する１つ又はそれ以上の無線リンクの少なくとも１つが、高速アップリンクパケットデータ通信よりも低速伝送のアップリンクデータ通信を行うことを特徴とする請求項２に記載の方法。
【請求項４】
１つ又はそれ以上の送信パラメータの調整に従った、ソフトハンドオーバーに関与しない１つ又はそれ以上の無線リンクの少なくとも１つが、ＷＣＤＭＡシステムのＨＳ−ＤＰＣＣＨもしくはＨＳ−ＤＰＤＣＨであることを特徴とする請求項１に記載の方法。
【請求項５】
ソフトハンドオーバーに関与する１つ又はそれ以上の無線リンクの少なくとも１つが、ＷＣＤＭＡシステムのＤＰＤＣＨもしくはＤＰＣＣＨであることを特徴とする請求項２に記載の方法。
【請求項６】
１つ又はそれ以上の送信パラメータの少なくと１つが送信電力制御パラメータであることを特徴とする請求項１乃至５のいずれか１項に記載の方法。
【請求項７】
１つ又はそれ以上の送信電力制御パラメータの少なくとも１つが送信電力オフセットパラメータであることを特徴とする請求項６に記載の方法。
【請求項８】
送信電力オフセットパラメータが異なるアップリンクの物理チャネル間のオフセットを表わすことを特徴とする請求項７に記載の方法。
【請求項９】
送信電力オフセットパラメータの更新が無線ネットワークコントローラによって開始されることを特徴とする請求項７に記載の方法。
【請求項１０】
送信電力オフセットパラメータの更新が非同期手順の通信によって行われることを特徴とする請求項７に記載の方法。
【請求項１１】
１つ又はそれ以上の送信電力制御パラメータの少なくとも１つが利得係数パラメータであることを特徴とする請求項６に記載の方法。
【請求項１２】
利得係数パラメータがβhsであることを特徴とする請求項１１に記載の方法。
【請求項１３】
１つ又はそれ以上の送信パラメータの少なくとも１つがハイブリッドＡＲＱの１つ又はそれ以上のパラメータであることを特徴とする請求項１乃至５のいずれか１項に記載の方法。
【請求項１４】
１つ又はそれ以上の送信パラメータの少なくとも１つが反復指数パラメータであることを特徴とする請求項１乃至５のいずれか１項に記載の方法。
【請求項１５】
反復指数パラメータがＣＱＩ反復指数であることを特徴とする請求項１４に記載の方法。
【請求項１６】
反復指数パラメータがＡＣＫ-ＮＡＣＫ反復指数であることを特徴とする請求項１４に記載の方法。
【請求項１７】
１つ又はそれ以上の送信パラメータの少なくとも１つがＣＱＩフィードバックサイクルパラメータであることを特徴とする請求項１乃至５のいずれか１項に記載の方法。
【請求項１８】
第１及び第２のあらかじめ定められた数はＣＱＩ反復指数およびＡＣＫ−ＮＡＣＫ反復指数の更新とは区別して定められ、第１のあらかじめ区別して定められた数だけ到来するＣＱＩが連続してエラー受信されるか、又は、第２のあらかじめ区別して定められた数だけ到来するＣＱＩが連続してエラー無しになるかによって、ＣＱＩ反復指数とＡＣＫ−ＮＡＣＫ反復指数の更新が開始されることを特徴とする請求項１乃至５のいずれか１項に記載の方法。
【請求項１９】
ＣＱＩ反復指数、ＡＣＫ−ＮＡＣＫ反復指数およびＣＱＩフィードバックサイクルのうちの少なくとも１つの更新が、基地局が到来するＣＱＩを連続してエラー受信するのが第１のあらかじめ定められた数を超えるか、又は、到来するＣＱＩを連続してエラー無しで受信するのが第２のあらかじめ定められた数を超えるかによって開始されることを特徴とする請求項１乃至５のいずれか１項に記載の方法。
【請求項２０】
第２のあらかじめ定められた数が第１のあらかじめ定められた数より大きいことを特徴とする請求項１９に記載の方法。
【請求項２１】
第１のあらかじめ定められた数だけ到来するＣＱＩが連続してエラー受信されるとき、ＣＱＩ反復指数がＣＱＩ反復指数の最大値に等しくなければ、ＣＱＩ反復指数が増加されることを特徴とする請求項１９に記載の方法。
【請求項２２】
ＣＱＩ反復指数が１だけ増加されることを特徴とする請求項２１に記載の方法。
【請求項２３】
ＣＱＩ反復指数の最大値が４に等しいことを特徴とする請求項２１に記載の方法。
【請求項２４】
第２のあらかじめ定められた数だけ到来するＣＱＩが連続してエラー無しになるとき、ＣＱＩ反復指数がＣＱＩ反復指数の最小値に等しくなければ、ＣＱＩ反復指数が１だけ減少されることを特徴とする請求項１９に記載の方法。
【請求項２５】
ＣＱＩ反復指数の最小値が１であることを特徴とする請求項２４に記載の方法。
【請求項２６】
第１のあらかじめ定められた数だけ到来するＣＱＩが連続してエラー受信されるとき、ＡＣＫ−ＮＡＣＫ反復指数がＡＣＫ−ＮＡＣＫ反復指数の最大値に等しくなければ、ＡＣＫ−ＮＡＣＫ反復指数が１だけ増加されることを特徴とする請求項１９に記載の方法。
【請求項２７】
ＡＣＫ−ＮＡＣＫ反復指数の最大値が４に等しいことを特徴とする請求項２６に記載の方法
【請求項２８】
第２のあらかじめ定められた数だけ到来するＣＱＩが連続してエラー無しになるとき、ＡＣＫ−ＮＡＣＫ反復指数がＡＣＫ−ＮＡＣＫ反復指数がＡＣＫ−ＮＡＣＫ反復指数の最小値に等しくなければ、１だけ減少されることを特徴とする請求項１９に記載の方法。
【請求項２９】
ＡＣＫ−ＮＡＣＫ反復指数の最小値が１であることを特徴とする請求項２８に記載の方法。
【請求項３０】
第１のあらかじめ定められた数だけ到来するＣＱＩが連続してエラー受信されるとき、ＣＱＩフィードバックサイクル指数があらかじめ定められた時間幅にＣＱＩ反復指数を乗じた値より大きくなるようにＣＱＩフィードバックサイクル指数が増加されることを特徴とする請求項１９に記載の方法。
【請求項３１】
あらかじめ定められた時間幅が２ミリ秒に等しいしいことを特徴とする請求項３０に記載の方法。
【請求項３２】
送信パラメータ更新が無線基地局によって開始されることを特徴とする請求項１４、１７又は１９に記載の方法。
【請求項３３】
送信パラメータ更新が同期手順の通信で行われることを特徴とする請求項１４、１７又は１９に記載の方法。
【請求項３４】
無線アップリンク送信制御の装置であって、
ソフトハンドオーバーに関与しない１つ又はそれ以上の無線リンクの１つ又はそれ以上の送信パラメータの更新を通信する通信手段を有し、
前記更新が、ソフトハンドオーバー又は前記送信パラメータの調整に関与する１つ又はそれ以上の無線リンクに関連して調整されることを特徴とする装置。
【請求項３５】
通信手段が送信手段であることを特徴とする請求項３４に記載の装置。
【請求項３６】
通信手段が受信手段であることを特徴とする請求項３４に記載の装置。
【請求項３７】
ソフトハンドオーバーに関与しない１つ又はそれ以上の無線リンクの１つ又はそれ以上の送信パラメータを更新開始する処理手段を有し、
前記更新が、ソフトハンドオーバー又は前記送信パラメータの調整に関与する１つ又はそれ以上の無線リンクに関連して調整されることを特徴とする請求項３４に記載の装置。
【請求項３８】
前記処理手段は、第１及び第２の装置におけるパラメータ更新の調整をすることを特徴とする請求項３４に記載の装置。
【請求項３９】
前記第１及び第２の装置が、それぞれ基地局及びユーザ端末のエンティティであることを特徴とする請求項３８に記載の装置。
【請求項４０】
１つ又はそれ以上の送信パラメータ調整に従った、ソフトハンドオーバーに関与しない１つ又はそれ以上の無線リンクが高速アップリンクパケットデータ通信を行うことを特徴とする請求項３４に記載の装置。
【請求項４１】
ソフトハンドオーバーに関与する１つ又はそれ以上の無線リンクの少なくとも１つが、高速アップリンクパケットデータ通信よりも低速伝送のアップリンクデータ通信を行なうことを特徴とする請求項４０に記載の装置。
【請求項４２】
１つ又はそれ以上の送信パラメータの調整に従った、ソフトハンドオーバーに関与しない１つ又はそれ以上の無線リンクの少なくとも１つが、ＷＣＤＭＡシステムのＨＳ−ＤＰＣＣＨもしくはＨＳ−ＤＰＤＣＨであることを特徴とする請求項３４に記載の装置。
【請求項４３】
ソフトハンドオーバーに関与する１つ又はそれ以上の無線リンクの少なくとも１つが、ＷＣＤＭＡシステムのＤＰＤＣＨもしくはＤＰＣＣＨであることを特徴とする請求項４０に記載の装置。
【請求項４４】
１つ又はそれ以上の送信パラメータの少なくとも１つが送信電力制御パラメータであることを特徴とする請求項３４乃至４３のいずれか１項に記載の装置。
【請求項４５】
１つ又はそれ以上の送信電力制御パラメータの少なくとも１つが送信電力オフセットパラメータであることを特徴とする請求項４４に記載の装置。
【請求項４６】
送信電力オフセットパラメータが異なるアップリンク物理チャネル間のオフセットを表わすことを特徴とする請求項４５に記載の装置。
【請求項４７】
送信電力オフセットパラメータ更新が無線ネットワークコントローラによって開始されることを特徴とする請求項４５に記載の装置。
【請求項４８】
送信電力オフセットパラメータ更新が非同期手順の通信によって行われることを特徴とする請求項４５に記載の装置。
【請求項４９】
１つ又はそれ以上の送信電力制御パラメータの少なくとも１つが利得係数パラメータであることを特徴とする請求項４４に記載の装置。
【請求項５０】
利得係数パラメータβhsであることを特徴とする請求項４９に記載の装置。
【請求項５１】
１つ又はそれ以上の送信パラメータの少なくとも１つがハイブリッドＡＲＱの１つ又はそれ以上のパラメータであることを特徴とする請求項３４乃至４３のいずれか１項に記載の装置。
【請求項５２】
１つ又はそれ以上の送信パラメータの少なくとも１つが反復指数パラメータであることを特徴とする請求項３４乃至４３のいずれか１項に記載の装置。
【請求項５３】
反復指数パラメータがＣＱＩ反復指数であることを特徴とする請求項５２に記載の装置。
【請求項５４】
反復指数パラメータがＡＣＫ−ＮＡＣＫ反復指数であることを特徴とする請求項５２に記載の装置。
【請求項５５】
１つ又はそれ以上の送信パラメータの少なくとも１つがＣＱＩフィードバックサイクルパラメータであることを特徴とする請求項３４乃至４３のいずれか１項に記載の装置。
【請求項５６】
前記処理手段が、受信されたＣＱＩがエラー無し又は有りと見なされるかを決定し、それに応じて、それぞれ、エラー無しのＣＱＩの到来数を増加してエラーＣＱＩの連続到来数をリセットし、エラーＣＱＩの到来数を増加してＣＱＩの連続到来数をリセットし、
もし基地局が、第１のあらかじめ区別して定められた数より多いエラーＣＱＩ到来を連続受信するか、又は、第２のあらかじめ区別して定められた数のエラー無しＣＱＩ到来を連続受信すると、ＣＱＩ反復指数とＡＣＫ−ＮＡＣＫ反復指数の少なくとも１つの更新を開始するＣＱＩ処理手段を有し、
前記第１および第２のあらかじめ定められた数がＣＱＩ反復指数とＡＣＫ−ＮＡＣＫ反復指数の更新とは区別して定められいることを特徴とする請求項３４乃至４３のいずれか１項に記載の装置。
【請求項５７】
前記処理手段が、受信されたＣＱＩがエラー無し、又は、エラーと見なされることを決定し、それに応じてそれぞれ、エラー無しＣＱＩの到来数を増加してエラーＣＱＩの連続到来数をリセットするか、エラーＣＱＩの到来数を増加してエラー無しＣＱＩの連続到来数をリセットし、
もし基地局が第１のあらかじめ定められた数を越えるエラーＣＱＩ到来を連続受信するか、又は、第２のあらかじめ定められた数のエラー無しＣＱＩ到来を連続受信すると、ＣＱＩ反復指数、ＡＣＫ−ＮＡＣＫ反復指数およびＣＱＩフィードバックサイクルのうちの少なくとも１つの更新を開始するＣＱＩ処理手段を有することを特徴とする請求項３４乃至４３のいずれか１項に記載の装置。
【請求項５８】
第２のあらかじめ定められた数は第１のあらかじめ定められた数より大きいことを特徴とする請求項５７に記載の装置。
【請求項５９】
第１のあらかじめ定められた数だけエラーＣＱＩの連続到来があったとき、ＣＱＩ反復指数がＣＱＩ反復指数の再開値と等しくない限り、ＣＱＩ反復指数が増加されることを特徴とする請求項５７に記載の装置。
【請求項６０】
ＣＱＩ反復指数の増大幅が１であることを特徴とする請求項５９に記載の装置。
【請求項６１】
ＣＱＩ反復指数の最大値が４に等しいことを特徴とする請求項５９に記載の装置。
【請求項６２】
第２のあらかじめ定められた数のエラー無しＣＱＩの到来を連続受信したとき、ＣＱＩ反復指数がＣＱＩ反復指数の最小値に等しくない限りＣＱＩ反復指数が１だけ減少されることを特徴とする請求項５７に記載の装置。
【請求項６３】
ＣＱＩ反復指数の最小値が１に等しいことを特徴とする請求項６２に記載の装置。
【請求項６４】
第１のあらかじめ定められた数だけエラーＣＱＩの連続到来があったとき、ＡＣＫ−ＮＡＣＫ反復指数がＡＣＫ−ＮＡＣＫ反復指数の最大値に等しくない限り、ＡＣＫ−ＮＡＣＫ反復指数が１だけ増加されることを特徴とする請求項５７に記載の装置。
【請求項６５】
ＡＣＫ−ＮＡＣＫ反復指数の最大値が４に等しいことを特徴とする請求項６４に記載の装置。
【請求項６６】
第２のあらかじめ定められた数のエラー無しＣＱＩの連続到来があったとき、ＡＣＫ−ＮＡＣＫ反復指数がＡＣＫ−ＮＡＣＫ反復指数の最小値に等しくない限り、ＡＣＫ−ＮＡＣＫ反復指数が１だけ減少されることを特徴とする請求項５７に記載の装置。
【請求項６７】
ＡＣＫ−ＮＡＣＫ反復指数の最小値が１に等しいことを特徴とする請求項６６に記載の装置。
【請求項６８】
第１のあらかじめ定められた数だけエラーＣＱＩの連続到来があったとき、ＣＱＩフィードバックサイクル指数があらかじめ定められた時間幅にＣＱＩ反復指数を乗じた値より大きくなるようにＣＱＩフィードバックサイクル指数を増加することを特徴とする請求項５７に記載の装置。
【請求項６９】
あらかじめ定められた時間幅が２ミリ秒に等しいしいことを特徴とする請求項６８に記載の装置。
【請求項７０】
装置が無線ネットワークコントローラであることを特徴とする請求項３４乃至６９のいずれか１項に記載の装置。
【請求項７１】
装置が無線基地局であることを特徴とする請求項３４乃至６９のいずれか１項に記載の装置。
【請求項７２】
装置がユーザ端末であることを特徴とする請求項３４乃至６９のいずれか１項に記載の装置。
【請求項７３】
請求項１乃至３３のいずれか１項に記載の方法を実行するために構成された処理手段及び保存手段を有することを特徴とする通信システム。
【請求項７４】
通信システムが請求項３４乃至７２のいずれか１項に記載の装置を複数備えたことを特徴とする通信システム。
【発明の詳細な説明】
【技術分野】
【０００１】
本発明は無線通信に関するものである。特に、無線高速パケットデータ通信に関するものである。詳しくは、高速パケットデータ通信の送信電力制御に関するものである。
【背景技術】
【０００２】
汎用移動通信システム(ＵＭＴＳ: Universal Mobile Telecommunication System)における個別物理データチャネル(ＤＰＤＣＨ: Dedicated Physical Data Channel)および個別物理制御チャネル(ＤＰＣＣＨ: Dedicated Physical Control Channel)のような個別かつ共用チャネルの送信電力制御が、これまでに知られている。
【０００３】
図１は、従来技術によるＵＭＴＳ通信システムの要素を選んで図示したものである。
【０００４】
プロトコルデータユニットＰＤＵｓ（Protocol Data Units）は、ユーザ端末＜ＵＥ＞（user equipment）へダウンリンクＤＬ（downlink）で通信され、ユーザ端末＜ＵＥ＞からアップリンクＵＬ（uplink）で通信される。適当な大きさのプロトコルデータユニット＜ＰＤＵ＞に分解された／組み立てられた情報は、それぞれの受信先に送られる。通信経路には、無線基地局ＲＢＳ（radio base station、＜ＢＳ１／ノードＢ１＞）と無線ネットワークコントローラ＜ＲＮＣ＞（radio network controller）があり、無線基地局＜ＢＳ１／ノードＢ１＞は、Ｉｕｂインタフェースを介してＲＮＣに接続され、無線インタフェースを介してＵＥに接続される。また、第２の無線基地局＜ＢＳ２／ノードＢ２＞も示されていて、図に描かれている時点では特に情報伝送にかかわっていない。ノードＢは、１つ又はそれ以上のセルにおいてユーザ端末へ／からの無線送信／受信を担っている論理ノードである。基地局ＢＳ、すなわち無線基地局は、ノードＢを表わす物理エンティティである。
【０００５】
図２は、従来技術にもとづいたＵＭＴＳ通信システムにおけるソフトハンドオーバーダイバーシティに関与する要素を選んで図示したものである。
【０００６】
ＵＥから送られたＰＤＵｓは、アップリンク方向に、無線インタフェース経由で送信されたプロトコルデータユニット＜ＰＤＵ＞を受信する２つの無線基地局＜ＢＳ１／ノードＢ１＞および＜ＢＳ２／ノードＢ２＞で示された、異なる無線リンクを介して受信される。プロトコルデータユニットは、続いて無線ネットワークコントローラ＜ＲＮＣ＞に送られる。ＲＮＣは、選択ダイバーシティの組み合わせに従って受信されたＰＤＵを結合する。ダウンリンク方向には、プロトコルデータユニットは、無線ネットワークコントローラ＜ＲＮＣ＞および２つの無線基地局＜ＢＳ１／ノードＢ１＞、＜ＢＳ２／ノードＢ２＞を介してＵＥに送られる。無線基地局＜ＢＳ１／ノードＢ１＞および＜ＢＳ２／ノードＢ２＞からの無線インタフェース経由で送信された同一のＰＤＵは、受信したＵＥで結合される。
【０００７】
図３は、ＨＳ−ＤＳＣＨの階層プロトコル構造、すなわち、プロトコルスタックを示している。
【０００８】
Ｌ２ＭＡＣレイヤは、Ｌ２ＭＡＣサブレイヤとＭＡＣ−ｈｓサブレイヤとの２つのサブレイヤに分けられる。ＭＡＣ−ｈｓとＭＡＣを合わせたレイヤは、連続して受信された（再）送信の結合を許容するハイブリッド自動再送要求（ＨＡＲＱ: hibrid Automatic Repeat Request）機能をも含むものに拡張した、単一のＭＡＣレイヤと見なすことができる。しかし、説明上はそれらを別のサブレイヤと見なすことが好ましい。それに、ネットワーク側からは、それらを別のプロトコルサブレイヤと考えることで、それらの属する物理要素とのよい物理的対応が取れることになる。図３に示すように、ＵＴＲＡＮ側（すなわち、ネットワーク側）のＬ２ＭＡＣサブレイヤはＲＮＣに設置され、Ｌ２ＭＡＣ−ｈｓサブレイヤはノードＢに設置されることが好ましい。ハイブリッドＡＲＱプロトコルは、連続して受信される再送信を結合するので、このプロトコルを物理レイヤに近接させ、とくにノードＢに持つことは大きな利点になる。ＲＬＣ／ＭＡＣ制御ブロックは、ＲＬＣ／ＭＡＣ制御メッセージを送るのに用いられる。ＲＬＣ／ＭＡＣ制御ブロックにおいては、すべての送信された部分がＲＬＣ／ＭＡＣ制御メッセージと同じになる。ＲＬＣ／ＭＡＣ制御ブロックは、ＲＬＣデータブロックよりも高い優先度で送られる。ＲＬＣ／ＭＡＣ制御ブロックは、付属個別チャネル（ＡＤＣＨ: Associated Dedicated Channel)で送られる。
【０００９】
第３世代パートナーシッププロジェクト（３ＧＰＰ: 3rd Generation Partnership Project）の「無線アクセスネットワーク技術規格グループ、物理レイヤ手順、3G TS 25.301 v3.6.0, France, September 2000」は、第５章でＵＭＴＳシステムの無線インタフェースプロトコルアーキテクチャを規定している。
【００１０】
プロトコルレイヤには、次の３がある。
・物理レイヤ：レイヤ１（Ｌ１）、
・データリンクレイヤ：レイヤ２（Ｌ２）、
・ネットワークレイヤ：レイヤ３（Ｌ３）。
【００１１】
レイヤ２（Ｌ２）およびレイヤ３（Ｌ３）は、制御面（Control Plane）とユーザ面（User Plane）とに分けられる。レイヤ２は、制御面にＲＬＣおよびＭＡＣの２つのサブレイヤと、ユーザ面にＢＭＣ、ＰＤＣＰ、ＲＬＣおよびＭＡＣの４つのサブレイヤとからなる。省略語のＢＭＣ、ＰＤＣＰ、ＲＬＣおよびＭＡＣは、それぞれ、ブロードキャスト／マルチキャスト制御（Broadcast／Multicast Control）、パケットデータ融合プロトコル（Packet Data Convergence Protocol）、無線回線制御（Radio Link Control）、およびメディアアクセス制御（Medium Access Control）のことである。
【００１２】
第３世代パートナーシッププロジェクト（３ＧＰＰ: 3rd Generation Partnership Project）の「無線アクセスネットワーク技術規格グループ、拡散と変調（ＦＤＤ）（第６版）、3GPP TS 25.213 v6.0.0, France, December 2003」は、汎用地上無線アクセス（ＵＴＲＡ: Universal Terrestrial Radio Access）の物理レイヤにおける周波数分割複信（ＦＤＤ: Frequency Division Duplex）モードに対する拡散と変調について記述している。技術規格の４．２節は、例えば、ＤＰＣＣＨ、ＤＰＤＣＨおよびＨＳ−ＤＰＣＣＨ（高速個別物理制御チャネル: High Speed Dedicated Physical Control Channel）のアップリンク拡散について述べている。ＨＳ−ＤＰＣＣＨは、ＨＳＤＰＡ（高速ダウンリンクパケットアクセス: High Speed Down Link Packet Access）のフィードバック情報を運ぶ（アップリンク方向への）制御チャネルである。チャネル設定が済むと、実数値の拡散信号は、（動作中であれば）、ＤＰＣＣＨに対しては利得係数βcで、すべてのＤＰＤＣＨに対しては利得係数βdで、ＨＳ−ＤＰＣＣＨに対しては利得係数βhsで重み付けされる。βcとβdの値は、高位レイヤにより信号として与えられるか、もしくは計算される。いつの時間でも、βcとβdの値の少なくとも１つは１．０である。βcとβdの値は、分母を１５とした分数の分子に対応付けられる４ビットの語長に量子化される。
【００１３】
第３世代パートナーシッププロジェクト（３ＧＰＰ: 3rd Generation Partnership Project）の「無線アクセスネットワーク技術規格グループ、物理レイヤ手順（ＦＤＤ）（第６版）、3GPP TS 25.214 v6.3.0, France, September 2004」は、ＵＴＲＡのＦＤＤモードにおける物理レイヤ特性を規定し、制定した。５．１．２．５Ａ節は、アップリンクＤＰＣＣＨ／ＨＳ−ＤＰＣＣＨの電力差の設定を規定している。ＨＳ−ＤＰＣＣＨが動作中のとき、それぞれのＨＳ−ＤＰＣＣＨスロットに対する電力オフセットΔHS-DPCCHは、以下のように設定しなければならない。
【００１４】
ＨＡＲＱの確認応答（Acnowledgement）を伝達するＨＳ−ＤＰＣＣＨスロットに対しては、
・対応するHＡＲＱ確認応答が１のとき、ΔHS-DPCCH＝ΔACK、
・対応するHＡＲＱ確認応答が０のとき、ΔHS-DPCCH＝ΔNACKである。
【００１５】
ＣＱＩを伝達するＨＳ−ＤＰＣＣＨスロットに対しては、
・ΔHS-DPCCH＝ΔCQIである。
【００１６】
ΔACK、ΔNACK、および、ΔCQIの値は、高位レイヤで設定される。
【００１７】
そして、圧縮されていないフレームで、利得係数βhsは、
【００１８】
【数１】
2008527794.tif 000003
【００１９】
に従って算出される。
ここで、βcの値は、技術規格に示されるように高位レイヤで信号として与えられるか、もしくは計算される。
【００２０】
ＨＳ−ＤＰＣＣＨが送信されるとき、圧縮されたＤＰＣＣＨフレームの最初から最後までの区間内では、βhsは次式によって計算される。
【００２１】
【数２】
2008527794.tif 000004
【００２２】
ここで、βc,c,jは、技術規格に記載されているように計算され、Ｎpilot,Cは、ＤＰＣＣＨの圧縮されたフレームにおけるスロットあたりのパイロットビット数であり、Ｎpilot,Nは、圧縮されていないフレームにおけるスロットあたりのパイロットビット数である。
【００２３】
こうして、利得係数βhsは、現在の電力オフセットΔHS-DPCCHおよびアップリンクＤＰＣＣＨが現在圧縮フレームに存在しているかどうかによって変化する。
【００２４】
第３世代パートナーシッププロジェクト（３ＧＰＰ: 3rd Generation Partnership Project）の「無線アクセスネットワーク技術規格グループ、ＵＴＲＡＮ ＩｕｂインタフェースＮＢＡＰ信号構成（第６版）、3GPP TS 25.433 v6.3.0, France, September 2004」は、Ｉｕｂインタフェースを介して制御面に用いられる、ノードＢアプリケーションパート（ＮＢＡＰ: Node B Application Part）規定と呼ばれる無線ネットワークレイヤ信号プロトコルを規定している。多くの情報要素（ＩＥｓ: Information elements）は、以下に説明するようなものである。
・ＣＱＩ電力オフセットΔCQI情報要素（ＩＥ）は、チャネル品質表示（ＣＱＩ: Channel Quality Indication）情報と関与するＤＰＣＣＨを伝達するＨＳ−ＤＰＣＣＨスロット間のＵＬで用いられる電力オフセットを表わす。
・ＮＡＣＫ電力オフセットΔNACK情報要素（ＩＥ）は、ＨＡＲＱのＮＡＣＫ情報と関与するＤＰＣＣＨを伝達するＨＳ−ＤＰＣＣＨスロット間のＵＬで用いられる電力オフセットを表わす。
・ＡＣＫ電力オフセットΔACK情報要素（ＩＥ）は、ＨＡＲＱのＡＣＫ情報と関与するＤＰＣＣＨを伝達するＨＳ−ＤＰＣＣＨスロット間のＵＬで用いられる電力オフセットを表わす。
・ＣＱＩ反復指数情報要素（ＩＥ）は、ＣＱＩの連続した繰り返しの回数を表わす。
・ＣＱＩフィードバックサイクルｋ情報要素（ＩＥ）は、ＣＱＩのフィードバックサイクルの長さを表わす。
ＡＣＫ−ＮＡＣＫ反復指数情報要素（ＩＥ）は、ＡＣＫおよびＮＡＣＫの連続した繰り返しの回数を表わす。
【００２５】
３ＧＰＰ  ＴＳ  ２５．４３３によれば、無線リンクパラメータの更新からＣＱＩ反復指数、フィードバックサイクル、および、ＡＣＫ−ＮＡＣＫ反復指数への変更を開始することが可能でなければならない。ＨＳ−ＤＳＣＨに関与する無線リンクパラメータ値の更新がノードＢ側で必要な場合、無線リンクパラメータ更新手順がノードＢによって実行される。この手順によって、ノードＢはＨＳ−ＤＳＣＨに関与するいくつかの無線リンクパラメータ値をＲＮＣに提案することができる。周波数分割複信（ＦＤＤ: Frequency Division Duplex）モードにおいて、ノードＢがＣＱＩフィードバックサイクルｋ、ＣＱＩ反復指数、ＡＣＫ−ＮＡＣＫ反復指数、ＣＱＩ電力オフセット、ＡＣＫ電力オフセット、および／または、ＮＡＣＫ電力オフセットの更新を必要とするとき、ノードＢは、ＣＱＩフィードバックサイクルｋ情報要素（ＩＥ）、ＣＱＩ反復指数情報要素（ＩＥ）、ＡＣＫ−ＮＡＣＫ反復指数情報要素（ＩＥ）、ＣＱＩ電力オフセット情報要素（ＩＥ）、ＡＣＫ電力オフセット情報要素（ＩＥ）、および／または、ＮＡＣＫ電力オフセット情報要素（ＩＥ）を含む、無線リンクパラメータ更新指示（RADIO LINK PARAMETER UPDATE INDICATION）メッセージを開始しなければならない。
【００２６】
欧州電気通信標準化機構２００４（European Telecommunications Standards Institute）の「ETSI TS 125 401 V5.9.0、汎用移動通信システム （ＵＭＴＳ）；ＵＴＲＡＮの全容記述（3GPP TS 25.401 version 5.9.0 第５版）, France, September 2004」は、第３節で、単一のユーザ端末と単一のＵＴＲＡＮアクセスポイント間の論理的なつながりとして、いくつかの定義と略語を示し、無線リンクを規定している。それを物理的に実現したものは１つ又はそれ以上の無線ベアラ伝送を備えている。無線リンク集合、ＲＬＳ（Radio Link Set）は１つ以上の無線リンクの集合で、ＤＬにおいて送信電力制御（ＴＰＣ: Transmit Power Control）コマンドを共通に生成する。ＵＴＲＡＮのアクセスポイントは、無線の送信と受信を行うＵＴＲＡＮ内の概念的なポイントである。ＵＴＲＡＮアクセスポイントは、１つの特定のセルに関連付けられる。すなわち、それぞれのセルに対して１つのＵＴＲＡＮアクセスポイントが存在する。それは無線リンクのＵＴＲＡＮ側の端点である。
【００２７】
これまでに引用した文献には、ソフトハンドオーバーあるいは下記送信電力制御パラメータの調整に関係する１つ又はそれ以上の無線リンクに対して、ソフトハンドオーバーに関係しない１つ又はそれ以上の無線リンクの送信電力制御パラメータを調節する方法とシステムについては何も言及されていない。
【発明の開示】
【００２８】
ＵＭＴＳ規格にある例のように、ＨＳ−ＤＰＣＣＨに含まれるリンク数が、チャネル、具体的にはＤＰＣＣＨもしくはＤＰＣＣＨとＤＰＤＣＨ、のリンク数に一致するときに、電力オフセットが関係するＨＳ−ＤＰＣＣＨに対して送信電力制御オフセットを設定することは、少なくともリンクが同じ基地局から作動させられている限り当然である。しかし、ソフトハンドオーバーの場合や、リンクが異なる基地局から作動させられている状況のもとでは、従来技術に記載の送信制御方法には問題があった。
【００２９】
ＡＤＣＨは、他のどのような普通のＤＣＨと同様に、ソフトハンドオーバーに入ることができる。ＨＳＤＰＡとＨＳ−ＤＳＣＨではそれができない。ＡＤＣＨがソフトハンドオーバー状態で１つより多いセルと通信しているとき、それは外ループと内ループとによって電力制御されている。βhsの参照対象は、ＤＰＤＣＨまたはＤＰＣＣＨ、あるいはその両方である。アップリンクにおいて、ＤＰＤＣＨおよびＤＰＣＣＨは外ループ及び内ループによって電力制御されている。ソフトハンドオーバーのときに、ＤＰＤＣＨとＤＰＣＣＨでダイバーシティ効果が認められるのは、内ループ及び外ループの電力制御によるものと考えられる。外ループの電力制御に関するＤＰＤＣＨの情報は、ＲＮＣで終端される。ＨＳ−ＤＰＣＣＨは、現在ユーザ端末のエンティティを運用しているノードＢで終端される。したがって、従来技術では、ソフトハンドオーバー時に、ＤＰＣＣＨもしくはＤＰＤＣＨに対するダイバーシティ効果が出るように電力制御が行われる。ダイバーシティ利得が実際に認められないときは、単一のダイバーシティブランチにより通信をしているからである。その結果、ソフトハンドオーバー中にＨＳ−ＤＰＣＣＨの回線品質が大幅に低下することがあり、それがＡＲＱフィードバックおよび高速スケジューリングエンティティへのＣＱＩ情報を危うくするという大きな危険がある。
【００３０】
それゆえ、制御パラメータを共有する種々のリンクの間でダイバーシティ不整合を補償するアップリンク送信電力制御を行う必要がある。
【００３１】
本発明の目的は、接続に含まれる無線リンク数に関連して、１つ又はそれ以上の電力制御パラメータを共有するアップリンクの物理チャネルの送信電力制御を補償するものである。
【００３２】
他の目的は、異なるダイバーシティオーダーを有するアップリンクの物理チャネルに対し、限られた数の送信電力制御パラメータによって送信電力制御を行うことである。
【００３３】
さらに、本発明の目的は、送信電力制御のための効率的な信号伝達の方法とシステムを提供することである。
【００３４】
最後の目的は、パラメータの整合のために最適化された送信電力制御の信号を伝達する方法とシステムを提供することである。
【００３５】
これらの目的は、リンク集合（Radio Link Set）の要素の数もしくは１つの動作中の集合内の無線基地局（ＲＢＳ）の数に応じて、異なるアップリンク物理チャネルの送信電力オフセットを決定する、アップリンク電力オフセットパラメータを更新する方法とシステムによって実現される。
【発明を実施するための最良の形態】
【００３６】
ＵＭＴＳ規格にある例のように、ＨＳ−ＤＰＣＣＨに含まれるリンク数が、チャネル、具体的にはＤＰＣＣＨもしくはＤＰＣＣＨとＤＰＤＣＨ、のリンク数に一致するときに、電力オフセットが関係するＨＳ−ＤＰＣＣＨに対して送信電力制御オフセットを設定することは、少なくともリンクが同じ基地局から作動させられている限り当然である。しかし、ソフトハンドオーバーの場合や、リンクが異なる基地局から作動させられている状況のもとでは、従来技術の送信制御方法には問題があった。
【００３７】
図５は、付属ダウンリンク制御チャネル（ＡＤＣＨ: Associated Downlink Control Channel）のアップリンクチャネル構造を示したものである。
【００３８】
高速通信に対しては、高速個別物理制御チャネル（ＨＳ−ＤＰＣＣＨ: High-Speed Dedicated Physical Control Channel）が含まれる。ＨＳ−ＤＰＣＣＨは、例えば、ＭＡＣ−ｈｓプロトコルレイヤでの使用を定められた＜ＨＡＲＱ-ＡＣＫ＞や回線品質情報＜ＣＱＩ＞の転送に対する再送要求、あるいは、受信成功の（肯定的）承認、のようなフィードバック情報を伝達する。ＵＭＴＳでは、ＨＳ−ＤＳＣＨサブフレームの、ＨＡＲＱ-ＡＣＫフィールドは１０ビット、ＣＱＩフィールドは２０ビットを備え、サブフレームは３タイムスロットにわたって送られる。ＨＳ−ＤＰＣＣＨは、ＡＤＣＨの他のチャネルと多重化される。ＤＰＣＣＨとＤＰＤＣＨは、ＨＳ−ＤＰＣＣＨとともにＡＤＣＨに多重化される普通のチャネルの例である。ＡＤＣＨは、他の普通のＤＣＨと同様にソフトハンドオーバー状態にあってよい。
【００３９】
ＨＳ−ＤＳＣＨのダウンリンクスケジューリングは、ＨＳ−ＤＰＣＣＨで送られるＣＱＩフィードバック情報に依存するので、ＡＤＣＨに多重化されたＤＰＤＣＨやＤＰＣＣＨのような他の物理チャネルとの関係でＨＳ−ＤＰＣＣＨの送信電力が適切に調整されない場合、ダウンリンク伝送が実質的に劣化することがある。
【００４０】
ＡＤＣＨがソフトハンドオーバー状態で１つより多いセルと通信しているとき、それは外ループと内ループとによって電力制御されている。βhsの参照対象は、ＤＰＤＣＨまたはＤＰＣＣＨ、あるいはその両方である。アップリンクにおいて、ＤＰＤＣＨおよびＤＰＣＣＨは外ループ及び内ループによって電力制御されている。ソフトハンドオーバーのときに、ＤＰＤＣＨとＤＰＣＣＨでダイバーシティ効果が認められるのは、内ループ及び外ループの電力制御によるものと考えられる。外ループの電力制御に関するＤＰＤＣＨの情報は、ＲＮＣで終端される。ＨＳ−ＤＰＣＣＨは、対象となるユーザ端末のエンティティを運用しているノードＢで終端される。したがって、従来技術では、ダイバーシティ利得が実際に認められないときにも、単一の通信リンクにより通信をしているので、ソフトハンドオーバー時にＤＰＣＣＨもしくはＤＰＤＣＨに相当する多数の通信リンクによるダイバーシティ効果が出るように電力制御が行われる。その結果、ソフトハンドオーバー中に、ＨＳ−ＤＰＣＣＨの回線品質が大幅に低下するという大きな危険があって、ＡＲＱフィードバックおよび高速スケジューリングエンティティへのＣＱＩ情報を危うくすることがあり、また、ノードＢにはダウンリンクのスケジューリングやＡＲＱへの承認のためのフィードバック情報が何も届かないという大きな危険もあって、ダウンリンクの性能の実質的低下を招くことがある。
【００４１】
無線リンク集合ＲＬＳ（Radio Link Set）は、ＤＬにおいて送信電力制御（ＴＰＣ: Transmit Power Control）コマンドを共通に生成する１つまたはそれ以上の無線リンクの集合であるが、ユーザ端末のエンティティを含む動作中の接続の集合は、接続に関わるすべての無線基地局ＲＢＳｅｓを備える。動作中の集合と無線リンク集合は同じものであることがしばしばであるが、よりソフトなハンドオーバーにおいては同じではない。よりソフトなハンドオーバーでは、１つの単一の無線基地局からなる無線リンクが複数存在する。
【００４２】
図４は、ソフトハンドオーバー時の、ユーザ端末＜ＵＥ＞と３つの無線基地局＜ＢＳ２＞、＜ＢＳ３＞、＜ＢＳ４＞を含む３つの無線リンクを備えた動作中の集合を示したものである。
【００４３】
無線基地局はＩｕｂインタフェースを介し、異なる無線ネットワークコントローラ＜ＳＲＮＣ＞＜ＤＲＮＣ＞によって制御される。サービング（serving）ＲＮＣ＜ＳＲＮＣ＞は、Ｉｕインタフェースを介してコアネットワークと接続する役割を有するＲＮＣである。ドリフト（drift）ＲＮＣ＜ＤＲＮＣ＞は、ソフトハンドオーバー時に、基地局のうち＜ＢＳ３＞と＜ＢＳ４＞の２つを制御することによって、ＳＲＮＣを補助するものである。＜ＳＲＮＣ＞と＜ＤＲＮＣ＞のＲＮＣは、Ｉｕｒインタフェースを介して接続される。
【００４４】
本発明の第１の実施形態によれば、利得係数βhsを求める場合は、接続のためにＡＤＣＨ／ＤＰＣＣＨ／ＤＰＤＣＨおよびＨＳ−ＤＰＣＣＨに対するダイバーシティブランチ数の判別が考慮され、動作集合もしくは接続された無線リンク集合におけるリンク数が増える場合は、いつでもβhsの更新が行われる。βhsの更新をするときは、ＤＰＤＣＨがマクロダイバーシティによる利得に依存する時間中に、ＨＳ−ＤＰＣＣＨに対して一定の電力オフセットを増加することによって、βhsの更新が実施されることが好ましい。
【００４５】
本発明の第２の実施形態によれば、ＨＳ−ＤＰＣＣＨ送信に対する反復指数（ＣＱＩおよびＡＣＫ−ＮＡＣＫの反復指数）が更新される。もちろん、反復指数が増大することは、制御信号伝達の負荷が増大することを意味する。したがって、アップリンク性能が閾値より下に劣化するまでは反復指数が更新されないことが好ましい。アップリンク性能の劣化は、基地局／ノードＢにおける再送失敗や再送の回数から検出されることが好ましい。１つ又はそれ以上の共通もしくは個別のトリガーが、異なる反復指数の更新に用いられる。
【００４６】
反復指数は、ＣＱＩフィードバックサイクル（ＵＥがＣＱＩを報告するときに行われる回数）と抵触かもしれない。そのため、反復指数の更新は、本発明によるＣＱＩフィードバックサイクルと調整することが好ましい。
【００４７】
本発明の第１の実施形態では、ＡＤＣＨに対するパラメータは、無線ベアラ設定手順の中で、無線リンクの再構成メッセージおよび無線ベアラ設定メッセージの信号としてＲＢＳに送られる。ΔCQIのようなＣＱＩに関与するパラメータ、ＣＱＩ反復指数およびＣＱＩフィードバックサイクルは、測定フィードバック情報としてダウンリンクのＨＳ−ＰＤＳＣＨ情報メッセージの中でＵＥへ信号として送られる。ΔACK、ΔNACKおよびＡＣＫ−ＮＡＣＫ反復指数のようなＡＣＫ／ＮＡＣＫに関与するパラメータは、アップリンクのＤＰＣＨ電力制御情報フィールドとして含まれる。
【００４８】
本発明による信号伝達方式には２つのモードがある。第１のモードはパラメータ更新に対して同期した手順を採用し、第２のモードは非同期の手順を採用する。本発明によれば、特定のモードが条件により特定のパラメータに従って選択される。
【００４９】
第１のモードは、ＣＱＩ反復指数、ＣＱＩフィードバックサイクルもしくはＡＣＫ−ＮＡＣＫ反復指数を変更するときに必要であり、どちらのモードも電力オフセットを変更するときに用いることができる。好ましくは、ＲＢＳからトリガされた第２の実施形態によるパラメータ更新は、信号伝達方式の第１のモードによって信号伝達され、無線リンク集合サイズの更新に関与する第１の実施形態によるパラメータ更新は、信号伝達方式の第２のモードによって信号伝達されることになる。
【００５０】
図６は、第１のモードによりＲＢＳによってトリガされた信号伝達を示している。
【００５１】
パラメータ更新、例えば、ＣＱＩ反復指数、ＣＱＩフィードバックサイクル、および、ＡＣＫ−ＮＡＣＫ反復指数のパラメータ更新は、無線基地局＜ＲＢＳ＞によりＲＬパラメータ更新指示(RL Parameter Update Indication)＜Ｒ１＞を、制御しているＲＮＣへ送ることによってトリガされる。ＲＬ再構成準備(RL Reconfiguration Prepare)＜Ｒ２＞では、反復指数の新しい値が運用中（serving）のＨＳ−ＤＳＣＨ接続によってＲＢＳに送られる。ＲＬ再構成準備完了信号(RL Reconfiguration Ready signal)＜Ｒ３＞と共に、新しい値がＲＢＳに保存される。接続フレーム番号（ＣＦＮ: Connection Frame Number）で表わされる起動時間は、つぎにＲＮＣで計算され、ＲＬ再構成実行信号(RL Reconfiguration Commit signal)＜Ｒ４＞に含められてＲＢＳに送られる。（ノードＢ、ＲＮＣおよびＵＥは、ＤＣＨおよび共通トランスポートチャネルのフレームトランスポートの参照にＣＦＮを用いている。）ＲＮＣは、起動時間を含む新しい１つ又はそれ以上のパラメータを＜Ｒ５＞として、ＣＦＮを用いてＲＢＳ経由でＵＥに送信する。起動時間中＜Ｒ６＞には、新しいパラメータが有効になる。物理チャネル再構成完了信号(Physical Channel Recongfiguration Complete signal)＜Ｒ７＞によって、物理チャネル再構成を確認／完了する。
【００５２】
図７は、本発明の第２のモードよりＲＮＣによってトリガされた信号伝達を示したものである。
【００５３】
１つ又それ以上の送信電力制御に関与するパラメータΔACK、ΔNACKおよびΔCQIの更新のトリガ＜Ｃ１＞に続いて、新しいパラメータは、物理チャネル再構成信号(Physical Channel Reconfiguration signal)＜Ｃ２＞の中含められ、ＲＢＳ経由でＵＥに送られる。ＵＥは、物理チャネル再構成完了信号(physical Channel Reconfiguration complete signal)＜Ｃ３＞で、受信とパラメータ更新とを確認する。
【００５４】
第１のモードによれば、それぞれはＣＱＩエラー事象として記録される不確実なＣＱＩである、受信されたＣＱＩに、特定のＣＱＩエラーパターン、すなわち、少なくとも１つの更新されたパラメータ（ＣＱＩ反復指数もしくはＡＣＫ−ＮＡＣＫ反復指数）がそれまでのパラメータと異なることが見出されたとき、ノードＢはパラメータ更新を開始することが好ましい。ソフトハンドオーバーもしくはダイバーシティ合成中に、ＣＱＩ反復指数が１より大きいなら、ダイバーシティブランチの合成後のＣＱＩのエラーが、特定の１つ又はそれ以上のＣＱＩｓの種々のダイバーシティブランチ又は反復の個々のＣＱＩｓのエラーを記録するために考慮される。ＨＳ−ＤＰＣＣＨパラメータの変更をトリガする好ましいエラーパターンが、好ましいパラメータ設定とともに表１に示される。表１で、「cqiErrors」は、あらかじめ定められた数のＣＱＩエラーの連続事象の数を表わし、また、「cqiErrorAbsent」は、ＣＱＩエラー事象の無い、あらかじめ定められた数の１つ又はそれ以上の連続したＣＱＩの数を表わす。
【００５５】
【表１】
2008527794.tif 000005
【００５６】
*反復指数−フィードバックサイクルの一貫性チェック
表１のｎc_prevおよびｎa_prevは、（それまでの）ＣＱＩ反復指数と（それまでの）ＡＣＫ−ＮＡＣＫ反復指数とをそれぞれ表わし、表１の第１列に示す検出されたエラーパターンによってパラメータ更新がトリガされたときに、適用される。「cqiErrors」を越える連続のＣＱＩエラー事象があり、更新されたＣＱＩ反復指数ｎcがｎc_prevと異なるときで、反復指数−フィードバックサイクル一貫性チェックで更新されたＣＱＩ反復指数とそれまでのＣＱＩフィードバックサイクルに不整合があるとされた場合には、ＣＱＩフィードバックサイクルが更新される。一貫性チェックで不整合があった場合、ＣＱＩフィードバックサイクルは増加される。更新されたＣＱＩフィードバックサイクルは、ミリ秒を測定単位にして、ＣＱＩ反復指数の２倍に設定されることが好ましい。通常、ＣＱＩ反復指数の減少がＣＱＩフィードバックサイクル一貫性の問題を起こすことはないので、ＣＱＩ反復指数が減らされる場合は、減少に対応するＣＱＩフィードバックサイクルはないことが好ましい。しかし、本発明は、減少に対応するＣＱＩフィードバックサイクルを除外するものではない。この手順は図８にフローチャートとして図示されている。
【００５７】
無線リンクパラメータ更新指示の信号メッセージがＲＮＣに送られたとき、ＣＱＩエラー事象の連続する数とエラー無しＣＱＩ到来の連続する数を数えるカウンタが、それぞれリセットされる。カウンタのリセットに次いで、ＲＮＣが何遍もトリガ信号を送ることなく更新が行えるための時間を与えるために、中断時間幅(interrupt time duration)として、その間はカウンタが更新されない時間幅があることが好ましい。中断時間幅は、タイマによって制御される。カウンタの更新は、中断時間幅の終了もしくは更新用に規定されたＣＦＮによって継続されることが好ましい。カウンタは、運用中のＨＳ−ＤＳＣＨセルが切りかえられるときに、ＨＳ−ＤＳＣＨセルの変更でリセットされることが好ましい。ＡＣＫ−ＮＡＣＫ反復指数の増加はスケジューリング機会を制限することになるので、ＡＣＫ−ＮＡＣＫ反復指数を変更する可能性があるときは、将来のスケジューリングに好都合な反復をスケジューリングするエンティティと通信することになる。
【００５８】
第２のモードによれば、無線リンク集合の数が変えられたときに、新しい電力オフセット係数が適用される。電力制御に関与するパラメータ（ΔACK、ΔNACKおよびΔCQI）の２つの異なる集合が、無線リンク集合の数によって使い分けられることが好ましい。ただ１つのＲＢＳを含んだＨＳ−ＤＰＣＣＨがよりソフトなハンドオーバー状態のとき、異なる無線リンクのＨＳ−ＤＰＣＣＨは最大比率結合(Maximum Ratio Combining)によって結合されるので、電力オフセット係数の更新にトリガを与える必要はない。
【００５９】
要約すれば、本発明の第２のモードは、ＵＥとノードＢとの間の調整を必要とせず、ＵＥが更新されてからノードＢがそれを非同期で知らされるというものであるのに対し、本発明の第１のモードは、ＵＥとノードＢとの更新に調整／同期が必要である。本出願においては、ＵＥ、ＲＢＳ、ＲＮＣ、ＨＳＤＰＡ、ＨＳ−ＤＰＣＣＨ、ＨＳ−ＤＰＤＣＨ、ＨＳ−ＤＳＣＨ、ＡＤＣＨなどのような略語が使われている。しかし、本発明はそれらの略語の実態を有するシステムに限定されることなく、類似の動作をするすべての通信システムに適用される。
【００６０】
本発明は、上に詳しく述べた実施形態のみに限定することを意図しない。本発明から外れずに変更や改良はなされてよい。記載される請求項の範囲でのあらゆる変更を含むことになる。
【図面の簡単な説明】
【００６１】
【図１】従来技術によるＵＭＴＳ通信システムの要素を選択して示した図である。
【図２】従来技術によるＵＭＴＳ通信システムのソフトハンドオーバー・ダイバーシティに関わる要素を選択して示した図である。
【図３】従来技術によるＨＳ−ＤＳＣＨの階層化プロトコル構造、すなわちプロトコルスタックを示した図である。
【図４】ソフトハンドオーバー時の、ユーザ端末＜ＵＥ＞と３つの無線基地局＜ＢＳ２＞、＜ＢＳ３＞、＜ＢＳ４＞とを含む３つの無線リンクを備えた動作中の集合を示した図である。
【図５】高速通信のためには、ＨＳ−ＤＰＣＣＨが含まれる、アップリンクのＡＤＣＨチャネル構造を示した図である。
【図６】本発明の第１のモードよりＲＢＳによって引き起こされる信号伝達を示した図である。
【図７】本発明の第２のモードよりＲＮＣによって引き起こされる信号伝達を示した図である。
【図８】本発明の第１のモードよるパラメータ更新をフローチャートにして示した図である。
【図１】
2008527794.tif 000006
【図２】
2008527794.tif 000007
【図３】
2008527794.tif 000008
【図４】
2008527794.tif 000009
【図５】
2008527794.tif 000010
【図６】
2008527794.tif 000011
【図７】
2008527794.tif 000012
【図８】
2008527794.tif 000013
【手続補正書】
【提出日】平成18年11月7日(2006.11.7)
【手続補正１】
【補正対象書類名】明細書
【補正対象項目名】００３１
【補正方法】変更
【補正の内容】
【００３１】
本発明の実施形態の目的は、接続に含まれる無線リンク数に関連して、１つ又はそれ以上の電力制御パラメータを共有するアップリンクの物理チャネルの送信電力制御を補償するものである。
【手続補正２】
【補正対象書類名】明細書
【補正対象項目名】００３３
【補正方法】変更
【補正の内容】
【００３３】
さらに、本発明の実施形態の目的は、送信電力制御のための効率的な信号伝達の方法とシステムを提供することである。
【手続補正３】
【補正対象書類名】明細書
【補正対象項目名】００３４
【補正方法】変更
【補正の内容】
【００３４】
最後の本発明の実施形態の目的は、パラメータの整合のために最適化された送信電力制御の信号を伝達する方法とシステムを提供することである。
【手続補正４】
【補正対象書類名】明細書
【補正対象項目名】００３５
【補正方法】変更
【補正の内容】
【００３５】
これらの目的は、リンク集合ＲＬＳ（Radio Link Set）の要素の数もしくは１つの動作中の集合内の無線基地局（ＲＢＳ）の数に応じて、又は、１つ又はそれ以上の基地局があらかじめ定められたエラーパターンを受信した場合に、異なるアップリンク物理チャネルの送信電力オフセットを決定する、アップリンク電力オフセットパラメータを更新する方法とシステムによって実現される。
【手続補正書】
【提出日】平成19年3月1日(2007.3.1)
【手続補正１】
【補正対象書類名】特許請求の範囲
【補正対象項目名】全文
【補正方法】変更
【補正の内容】
【特許請求の範囲】
【請求項１】
無線アップリンク送信制御の方法であって、
ソフトハンドオーバーに関与しない１つ又はそれ以上の無線リンクにおける１つ又はそれ以上の送信パラメータが、ソフトハンドオーバー又は前記送信パラメータの調整に関与する１つ又はそれ以上の無線リンクに関連して調整され、
前記調整が、特定のＲＬＳサイズ変化時に無線ネットワーク制御部により開始されるか、又は、基地局で特定のあらかじめ定められたエラーパターンを受信した時に開始され、
１つ又はそれ以上の送信パラメータの少なくと１つが送信電力制御パラメータであることを特徴とする方法。
【請求項２】
１つ又はそれ以上の送信パラメータの調整に従った、ソフトハンドオーバーに関与しない１つ又はそれ以上の無線リンクが、高速アップリンクパケットデータ通信を行うことを特徴とする請求項１に記載の方法。
【請求項３】
ソフトハンドオーバーに関与する１つ又はそれ以上の無線リンクの少なくとも１つが、高速アップリンクパケットデータ通信よりも低速伝送のアップリンクデータ通信を行うことを特徴とする請求項２に記載の方法。
【請求項４】
１つ又はそれ以上の送信パラメータの調整に従った、ソフトハンドオーバーに関与しない１つ又はそれ以上の無線リンクの少なくとも１つが、ＷＣＤＭＡシステムのＨＳ−ＤＰＣＣＨもしくはＨＳ−ＤＰＤＣＨであることを特徴とする請求項１に記載の方法。
【請求項５】
ソフトハンドオーバーに関与する１つ又はそれ以上の無線リンクの少なくとも１つが、ＷＣＤＭＡシステムのＤＰＤＣＨもしくはＤＰＣＣＨであることを特徴とする請求項２に記載の方法。
【請求項６】
１つ又はそれ以上の送信電力制御パラメータの少なくとも１つが送信電力オフセットパラメータであることを特徴とする請求項１に記載の方法。
【請求項７】
送信電力オフセットパラメータが異なるアップリンクの物理チャネル間のオフセットを表わすことを特徴とする請求項６に記載の方法。
【請求項８】
送信電力オフセットパラメータの更新が無線ネットワークコントローラによって開始されることを特徴とする請求項６に記載の方法。
【請求項９】
送信電力オフセットパラメータの更新が非同期手順の通信によって行われることを特徴とする請求項６に記載の方法。
【請求項１０】
１つ又はそれ以上の送信電力制御パラメータの少なくとも１つが利得係数パラメータであることを特徴とする請求項１に記載の方法。
【請求項１１】
利得係数パラメータがβhsであることを特徴とする請求項１０に記載の方法。
【請求項１２】
１つ又はそれ以上の送信パラメータの少なくとも１つがハイブリッドＡＲＱの１つ又はそれ以上のパラメータであることを特徴とする請求項１乃至５のいずれか１項に記載の方法。
【請求項１３】
１つ又はそれ以上の送信パラメータの少なくとも１つが反復指数パラメータであることを特徴とする請求項１乃至５のいずれか１項に記載の方法。
【請求項１４】
反復指数パラメータがＣＱＩ反復指数であることを特徴とする請求項１３に記載の方法。
【請求項１５】
反復指数パラメータがＡＣＫ-ＮＡＣＫ反復指数であることを特徴とする請求項１３に記載の方法。
【請求項１６】
１つ又はそれ以上の送信パラメータの少なくとも１つがＣＱＩフィードバックサイクルパラメータであることを特徴とする請求項１乃至５のいずれか１項に記載の方法。
【請求項１７】
第１及び第２のあらかじめ定められた数はＣＱＩ反復指数およびＡＣＫ−ＮＡＣＫ反復指数の更新とは区別して定められ、第１のあらかじめ区別して定められた数だけ到来するＣＱＩが連続してエラー受信されるか、又は、第２のあらかじめ区別して定められた数だけ到来するＣＱＩが連続してエラー無しになるかによって、ＣＱＩ反復指数とＡＣＫ−ＮＡＣＫ反復指数の更新が開始されることを特徴とする請求項１乃至５のいずれか１項に記載の方法。
【請求項１８】
ＣＱＩ反復指数、ＡＣＫ−ＮＡＣＫ反復指数およびＣＱＩフィードバックサイクルのうちの少なくとも１つの更新が、基地局が到来するＣＱＩを連続してエラー受信するのが第１のあらかじめ定められた数を超えるか、又は、到来するＣＱＩを連続してエラー無しで受信するのが第２のあらかじめ定められた数を超えるかによって開始されることを特徴とする請求項１乃至５のいずれか１項に記載の方法。
【請求項１９】
第２のあらかじめ定められた数が第１のあらかじめ定められた数より大きいことを特徴とする請求項１８に記載の方法。
【請求項２０】
第１のあらかじめ定められた数だけ到来するＣＱＩが連続してエラー受信されるとき、ＣＱＩ反復指数がＣＱＩ反復指数の最大値に等しくなければ、ＣＱＩ反復指数が増加されることを特徴とする請求項１８に記載の方法。
【請求項２１】
ＣＱＩ反復指数が１だけ増加されることを特徴とする請求項２０に記載の方法。
【請求項２２】
ＣＱＩ反復指数の最大値が４に等しいことを特徴とする請求項２０に記載の方法。
【請求項２３】
第２のあらかじめ定められた数だけ到来するＣＱＩが連続してエラー無しになるとき、ＣＱＩ反復指数がＣＱＩ反復指数の最小値に等しくなければ、ＣＱＩ反復指数が１だけ減少されることを特徴とする請求項１８に記載の方法。
【請求項２４】
ＣＱＩ反復指数の最小値が１であることを特徴とする請求項２３に記載の方法。
【請求項２５】
第１のあらかじめ定められた数だけ到来するＣＱＩが連続してエラー受信されるとき、ＡＣＫ−ＮＡＣＫ反復指数がＡＣＫ−ＮＡＣＫ反復指数の最大値に等しくなければ、ＡＣＫ−ＮＡＣＫ反復指数が１だけ増加されることを特徴とする請求項１８に記載の方法。
【請求項２６】
ＡＣＫ−ＮＡＣＫ反復指数の最大値が４に等しいことを特徴とする請求項２５に記載の方法
【請求項２７】
第２のあらかじめ定められた数だけ到来するＣＱＩが連続してエラー無しになるとき、ＡＣＫ−ＮＡＣＫ反復指数がＡＣＫ−ＮＡＣＫ反復指数がＡＣＫ−ＮＡＣＫ反復指数の最小値に等しくなければ、１だけ減少されることを特徴とする請求項１９に記載の方法。
【請求項２８】
ＡＣＫ−ＮＡＣＫ反復指数の最小値が１であることを特徴とする請求項２７に記載の方法。
【請求項２９】
第１のあらかじめ定められた数だけ到来するＣＱＩが連続してエラー受信されるとき、ＣＱＩフィードバックサイクル指数があらかじめ定められた時間幅にＣＱＩ反復指数を乗じた値より大きくなるようにＣＱＩフィードバックサイクル指数が増加されることを特徴とする請求項１８に記載の方法。
【請求項３０】
あらかじめ定められた時間幅が２ミリ秒に等しいしいことを特徴とする請求項２９に記載の方法。
【請求項３１】
送信パラメータ更新が無線基地局によって開始されることを特徴とする請求項１３、１６又は１８に記載の方法。
【請求項３２】
送信パラメータ更新が同期手順の通信で行われることを特徴とする請求項１３、１６又は１８に記載の方法。
【請求項３３】
無線アップリンク送信制御の装置であって、
ソフトハンドオーバーに関与しない１つ又はそれ以上の無線リンクの１つ又はそれ以上の送信パラメータの更新を通信する通信手段を有し、
前記更新が、ソフトハンドオーバー又は前記送信パラメータの調整に関与する１つ又はそれ以上の無線リンクに関連して調整され、
前記調整が、特定のＲＬＳサイズ変化時に無線ネットワーク制御部により開始されるか、又は、基地局で特定のあらかじめ定められたエラーパターンを受信した時に開始され、
１つ又はそれ以上の送信パラメータの少なくと１つが送信電力制御パラメータであることを特徴とする装置。
【請求項３４】
通信手段が送信手段であることを特徴とする請求項３３に記載の装置。
【請求項３５】
通信手段が受信手段であることを特徴とする請求項３３に記載の装置。
【請求項３６】
ソフトハンドオーバーに関与しない１つ又はそれ以上の無線リンクの１つ又はそれ以上の送信パラメータを更新開始する処理手段を有し、
前記更新が、ソフトハンドオーバー又は前記送信パラメータの調整に関与する１つ又はそれ以上の無線リンクに関連して調整されることを特徴とする請求項３３に記載の装置。
【請求項３７】
前記処理手段は、第１及び第２の装置におけるパラメータ更新の調整をすることを特徴とする請求項３３に記載の装置。
【請求項３８】
前記第１及び第２の装置が、それぞれ基地局及びユーザ端末のエンティティであることを特徴とする請求項３７に記載の装置。
【請求項３９】
１つ又はそれ以上の送信パラメータ調整に従った、ソフトハンドオーバーに関与しない１つ又はそれ以上の無線リンクが高速アップリンクパケットデータ通信を行うことを特徴とする請求項３３に記載の装置。
【請求項４０】
ソフトハンドオーバーに関与する１つ又はそれ以上の無線リンクの少なくとも１つが、高速アップリンクパケットデータ通信よりも低速伝送のアップリンクデータ通信を行なうことを特徴とする請求項３９に記載の装置。
【請求項４１】
１つ又はそれ以上の送信パラメータの調整に従った、ソフトハンドオーバーに関与しない１つ又はそれ以上の無線リンクの少なくとも１つが、ＷＣＤＭＡシステムのＨＳ−ＤＰＣＣＨもしくはＨＳ−ＤＰＤＣＨであることを特徴とする請求項３３に記載の装置。
【請求項４２】
ソフトハンドオーバーに関与する１つ又はそれ以上の無線リンクの少なくとも１つが、ＷＣＤＭＡシステムのＤＰＤＣＨもしくはＤＰＣＣＨであることを特徴とする請求項３９に記載の装置。
【請求項４３】
１つ又はそれ以上の送信電力制御パラメータの少なくとも１つが送信電力オフセットパラメータであることを特徴とする請求項３３に記載の装置。
【請求項４４】
送信電力オフセットパラメータが異なるアップリンク物理チャネル間のオフセットを表わすことを特徴とする請求項４３に記載の装置。
【請求項４５】
送信電力オフセットパラメータ更新が無線ネットワークコントローラによって開始されることを特徴とする請求項４３に記載の装置。
【請求項４６】
送信電力オフセットパラメータ更新が非同期手順の通信によって行われることを特徴とする請求項４３に記載の装置。
【請求項４７】
１つ又はそれ以上の送信電力制御パラメータの少なくとも１つが利得係数パラメータであることを特徴とする請求項３３に記載の装置。
【請求項４８】
利得係数パラメータβhsであることを特徴とする請求項４７に記載の装置。
【請求項４９】
１つ又はそれ以上の送信パラメータの少なくとも１つがハイブリッドＡＲＱの１つ又はそれ以上のパラメータであることを特徴とする請求項３３乃至４２のいずれか１項に記載の装置。
【請求項５０】
１つ又はそれ以上の送信パラメータの少なくとも１つが反復指数パラメータであることを特徴とする請求項３３乃至４２のいずれか１項に記載の装置。
【請求項５１】
反復指数パラメータがＣＱＩ反復指数であることを特徴とする請求項５０に記載の装置。
【請求項５２】
反復指数パラメータがＡＣＫ−ＮＡＣＫ反復指数であることを特徴とする請求項５０に記載の装置。
【請求項５３】
１つ又はそれ以上の送信パラメータの少なくとも１つがＣＱＩフィードバックサイクルパラメータであることを特徴とする請求項３３乃至４２のいずれか１項に記載の装置。
【請求項５４】
前記処理手段が、受信されたＣＱＩがエラー無し又は有りと見なされるかを決定し、それに応じて、それぞれ、エラー無しのＣＱＩの到来数を増加してエラーＣＱＩの連続到来数をリセットし、エラーＣＱＩの到来数を増加してＣＱＩの連続到来数をリセットし、
もし基地局が、第１のあらかじめ区別して定められた数より多いエラーＣＱＩ到来を連続受信するか、又は、第２のあらかじめ区別して定められた数のエラー無しＣＱＩ到来を連続受信すると、ＣＱＩ反復指数とＡＣＫ−ＮＡＣＫ反復指数の少なくとも１つの更新を開始するＣＱＩ処理手段を有し、
前記第１および第２のあらかじめ定められた数がＣＱＩ反復指数とＡＣＫ−ＮＡＣＫ反復指数の更新とは区別して定められいることを特徴とする請求項３３乃至４２のいずれか１項に記載の装置。
【請求項５５】
前記処理手段が、受信されたＣＱＩがエラー無し、又は、エラーと見なされることを決定し、それに応じてそれぞれ、エラー無しＣＱＩの到来数を増加してエラーＣＱＩの連続到来数をリセットするか、エラーＣＱＩの到来数を増加してエラー無しＣＱＩの連続到来数をリセットし、
もし基地局が第１のあらかじめ定められた数を越えるエラーＣＱＩ到来を連続受信するか、又は、第２のあらかじめ定められた数のエラー無しＣＱＩ到来を連続受信すると、ＣＱＩ反復指数、ＡＣＫ−ＮＡＣＫ反復指数およびＣＱＩフィードバックサイクルのうちの少なくとも１つの更新を開始するＣＱＩ処理手段を有することを特徴とする請求項３３乃至４２のいずれか１項に記載の装置。
【請求項５６】
第２のあらかじめ定められた数は第１のあらかじめ定められた数より大きいことを特徴とする請求項５５に記載の装置。
【請求項５７】
第１のあらかじめ定められた数だけエラーＣＱＩの連続到来があったとき、ＣＱＩ反復指数がＣＱＩ反復指数の再開値と等しくない限り、ＣＱＩ反復指数が増加されることを特徴とする請求項５５に記載の装置。
【請求項５８】
ＣＱＩ反復指数の増大幅が１であることを特徴とする請求項５７に記載の装置。
【請求項５９】
ＣＱＩ反復指数の最大値が４に等しいことを特徴とする請求項５７に記載の装置。
【請求項６０】
第２のあらかじめ定められた数のエラー無しＣＱＩの到来を連続受信したとき、ＣＱＩ反復指数がＣＱＩ反復指数の最小値に等しくない限りＣＱＩ反復指数が１だけ減少されることを特徴とする請求項５５に記載の装置。
【請求項６１】
ＣＱＩ反復指数の最小値が１に等しいことを特徴とする請求項６０に記載の装置。
【請求項６２】
第１のあらかじめ定められた数だけエラーＣＱＩの連続到来があったとき、ＡＣＫ−ＮＡＣＫ反復指数がＡＣＫ−ＮＡＣＫ反復指数の最大値に等しくない限り、ＡＣＫ−ＮＡＣＫ反復指数が１だけ増加されることを特徴とする請求項５５に記載の装置。
【請求項６３】
ＡＣＫ−ＮＡＣＫ反復指数の最大値が４に等しいことを特徴とする請求項６２に記載の装置。
【請求項６４】
第２のあらかじめ定められた数のエラー無しＣＱＩの連続到来があったとき、ＡＣＫ−ＮＡＣＫ反復指数がＡＣＫ−ＮＡＣＫ反復指数の最小値に等しくない限り、ＡＣＫ−ＮＡＣＫ反復指数が１だけ減少されることを特徴とする請求項５５に記載の装置。
【請求項６５】
ＡＣＫ−ＮＡＣＫ反復指数の最小値が１に等しいことを特徴とする請求項６４に記載の装置。
【請求項６６】
第１のあらかじめ定められた数だけエラーＣＱＩの連続到来があったとき、ＣＱＩフィードバックサイクル指数があらかじめ定められた時間幅にＣＱＩ反復指数を乗じた値より大きくなるようにＣＱＩフィードバックサイクル指数を増加することを特徴とする請求項５５に記載の装置。
【請求項６７】
あらかじめ定められた時間幅が２ミリ秒に等しいしいことを特徴とする請求項６６に記載の装置。
【請求項６８】
装置が無線ネットワークコントローラであることを特徴とする請求項３３乃至６７のいずれか１項に記載の装置。
【請求項６９】
装置が無線基地局であることを特徴とする請求項３３乃至６７のいずれか１項に記載の装置。
【請求項７０】
装置がユーザ端末であることを特徴とする請求項３３乃至６７のいずれか１項に記載の装置。
【請求項７１】
請求項１乃至３２のいずれか１項に記載の方法を実行するために構成された処理手段及び保存手段を有することを特徴とする通信システム。
【請求項７２】
通信システムが請求項３３乃至７０のいずれか１項に記載の装置を複数備えたことを特徴とする通信システム。
【国際調査報告】
2008527794.tif 000014
2008527794.tif 000015
2008527794.tif 000016